(57)【要約】 【課題】  リモート・コントロール・システムにおいて、操作対象の機器がユーザーの目の届く範囲の外にあり、操作用信号を前記操作対象の機器に送った際にその操作用信号が操作対象の機器に届いたか否かの確認が可能で、且つ、操作の内容が単にメインスイッチのＯＮ／ＯＦＦというのではなく、高度で複雑な操作を可能にすることを目的とする。【解決手段】  リモート・コントローラ２から送出されたリモコンの操作用信号が操作用信号送出手段３を介して操作対象の機器５，６，７に到達すると、それら機器５，６，７に係る模擬表示の操作パネル２５，２６，２７と操作対象項目の位置を示すカーソル２８が表示部２２に表示されるように構成した。【選択図】  図１
2007306402.tif 000002
【特許請求の範囲】
【請求項１】
操作用信号を生成し、その生成した操作用信号をワイヤレスで出力するリモート・コントローラと、
操作対象の機器の出力の操作を行う操作部と双方向通信のネットワークで接続され、前記リモート・コントローラからの操作用信号を受けると、その操作用信号を該当する操作対象の機器の操作部に送出するための操作用信号送出手段と、
前記リモート・コントローラから送出された操作用信号が、前記操作用信号送出手段及び前記ネットワークを介して操作対象の機器の操作部に到った際に、その旨を前記ネットワークを介して受け取って、その操作部に対応して構成され且つリモート操作を行うため模擬表示の操作パネルとその模擬表示の操作パネル上の操作対象項目の位置を示すカーソルを表示する表示手段と、
が備えられてなるリモート・コントロール・システム。
【請求項２】
操作用信号送出手段又は操作対象の機器の少なくともいずれかに、模擬表示の操作パネルのデータが記憶されている請求項１に記載のリモート・コントロール・システム。
【請求項３】
操作対象の機器の操作対象項目が複数個である請求項１にリモート・コントロール・システム。
【発明の詳細な説明】
【技術分野】
【０００１】
機器類、殊に近年の電化製品では、例えば、ＣＤプレーヤ、テレビ受像機、ＤＶＤ記録・再生装置、プロジェクタ装置、アンプ装置、洗濯機等といった電化製品を操作（制御）する場合は、ユーザーが各装置に対して直接に個別に操作を行うのではなく、操作を行う対象の電化製品から離れた位置で遠隔的に操作を行う、所謂リモート・コントロール装置を用いて操作を行うことが広く行われている。
特に、今日のデジタル家電と呼ばれ製品では、リモート・コントロール装置を用いて操作を行うことが主流になっている。
【０００２】
ここで、リモート・コントロール装置は、当初、制御用の操作を行う対象の各電化製品に対応しており、その電化製品の数だけ必要であった。
然るに、複数個のリモート・コントロール装置を用いて対応する各電化製品の操作を行う場合、リモート・コントロール装置を使用して操作を行う家庭用電化製品が増えたことによって、リモート・コントロール装置とその操作対象の機器をペアとして覚えきれなかったり、勘違いして、ペアを構成しないリモート・コントロール装置によって間違った電化製品に操作用の信号を出力して、結果的に、操作対象を意図した電化製品に操作を行わないのみならず、望んでいない電化製品を出力させて問題が生じるという問題があった。
【０００３】
そこで、こういった問題を解決するものとして、例えば、特開２００１−１２８２６３号公報で開示されているように、一つのリモート・コントロール装置によって複数の電化製品を操作可能とする技術が開発されている。
又、複数の電化製品をリモートコントロールによって操作する構成では、操作対象のそれら複数の電化製品の一部又は全てがユーザーの目の届く範囲に配設されていない場合であっても、リモート・コントロール装置から操作用の信号が操作対象の電化製品に届くのであれば、何ら問題なく操作が可能になる。
【０００４】
この発明は、操作対象の電化製品がユーザーの目の届く範囲に配設されていない場合であっても、操作対象となる複数の電化製品をリモート・コントロール装置によって遠隔的に操作することが可能なリモート・コントロール・システムに関する。
【背景技術】
【０００５】
操作対象の電化製品がユーザーの目の届く範囲に配設されていない場合であっても、リモート・コントロール装置によって複数の電化製品を遠隔的に操作することが可能なリモート・コントロール・システムとして、以下の文献で開示されている。
【０００６】
【特許文献１】特開２００４−３２０２９６号公報
【発明の開示】
【発明が解決しようとする課題】
【０００７】
特開２００４−３２０２９６号で開示されているリモート・コントロール技術（以下、「先行発明」と称する）は、テレビジョン受像機と操作対象の電化製品を双方向通信が可能なネットワークで接続し、リモート送信機（リモート・コントロール装置）からのリモコン信号をテレビジョン受像機が制御コマンドに変換して操作対象の電化製品に送る構成である。
従来技術の斯かる構成では、リモート送信機から操作用リモコン信号（操作用信号）を送った場合に、リモート送信機とテレビジョン受像機の間とテレビジョン受像機と操作対象の電化製品の間にそれぞれ操作用信号を遮る障害物が介在されなければ、リモート送信機からのリモコン信号の内容は操作対象の電化製品に到り、その操作対象の電化製品を遠隔的に操作することになる。
【０００８】
ところが、リモート送信機とテレビジョン受像機の間に障害物があったり、動物がリモコン信号を遮ったりすると、リモート送信機から操作のためのリモコン信号は結果的に操作対象の電化製品に届かないことになる。
この場合、ユーザーが、リモート送信機からのリモコン信号が最終的に操作対象の電化製品に届かないことに気付くことができれば、リモコン信号を操作対象の電化製品に再度送信したり、直接に該当の電化製品に操作を行うことによって操作行為の欠落を防ぐことができ、結果的に対象となる電化製品に操作を行うことになる。
【０００９】
しかしながら、操作対象の電化製品がユーザーと別な部屋に配設されている場合に、ユーザーがリモート送信機を操作してリモコン信号を操作対象の電化製品に送った際に、そのリモコン信号がその操作対象の電化製品に届いたか届かなかったかを確実に知ることができない。
よって、斯かる場合においてリモコン信号が操作対象の電化製品に届かなかったことに気付くことは難しく、結果的に、ユーザーは操作をしているのにも拘わらずリモコン信号が操作対象の電化製品に届いていると勘違いをして、その電化製品が所望通りには機能していないという問題が生じる。
【００１０】
殊に、例えば、放送の録音や録画、タイマーの設定等をリモート・コントロールで行っていてリモコン信号が最終的に操作対象の電化製品に届かない場合等では、問題はより一層深刻となる。
他方、嘗ての電化製品に対するリモコン操作は、メインスイッチをＯＮ／ＯＦＦするといったように操作内容が単純であった。しかし、今日の電化製品は操作内容が多様化、高度化、精密化され、リモコン操作の内容も同様に多様化、高度化、精密化がより一層強く求められている。
【００１１】
従って、電化製品へのリモコン操作は、操作対象の機器がユーザーの目の届かない位置にあってもリモコン信号が操作対象の電化製品に届いたか否かを確実に知ることができることのみならず、操作対象の機器の操作の内容が多様で、高度で、精密なリモート・コントロールが大きな問題になっている。
この発明は、上記の事情に鑑みてなされたものであり、リモコン信号が操作対象の電化製品に届いたか否かの確認が可能であって、且つ、操作の内容が多様で高度で精密であってもリモート・コントロールによる操作が可能なリモート・コントロール・システムを提供することを目的とする。
【課題を解決するための手段】
【００１２】
この発明は、リモコン信号が操作対象の機器に届いたことを表示するための表示手段を備え、且つ、その表示手段に操作対象の機器の操作パネル及び操作項目の位置を示すカーソルを表示するように構成したリモート・コントロール・システムである。
その詳細な構成は、操作用信号を生成し、その生成した操作用信号をワイヤレスで出力するリモート・コントローラと、操作対象の機器の出力の操作を行う操作部と双方向通信のネットワークで接続され、前記リモート・コントローラからの操作用信号を受けると、その操作用信号を該当する操作対象の機器の操作部に送出するための操作用信号送出手段と、前記リモート・コントローラから送出された操作用信号が、前記操作用信号送出手段及び前記ネットワークを介して操作対象の機器の操作部に到った際に、その旨を前記ネットワークを介して受け取って、その操作部に対応して構成され且つリモート操作を行うため模擬表示の操作パネルとその模擬表示の操作パネル上の操作対象項目の位置を示すカーソルを表示する表示手段と、が備えられてなるリモート・コントロール・システムである。
【発明の効果】
【００１３】
この発明は、操作対象の機器の操作に係る模擬表示の操作パネルを表示部で表示させ、且つ、その模擬表示の操作パネルを操作対象の機器の操作部に対応して表示する構成にしたことにより、表示パネルの表示によって操作用信号が操作対象の機器が到達したか否かの確認が可能で、且つ、前記模擬表示の操作パネルの表示内容の変更からより高くて複雑なリモート操作が可能なリモート・コントロール・システムである。
【発明を実施するための最良の形態】
【００１４】
この発明を、以下において図面と共に最良の形態に基づき説明する。しかし、この形態によって、この発明が限定されるものではない。
リモート・コントロール・システム１は図１に示すように、リモートコントローラ２と、操作用信号送出手段３と、ＨＵＢ４及び操作対象の電化製品であるチューナー付きアンプ５，ＤＶＤ記録・再生装置６，プロジェクタ装置７を備えて構成されている。
【００１５】
リモート・コントローラ２は、最終的には操作対象機器であるチューナー付きアンプ５，ＤＶＤ記録・再生装置６，プロジェクタ装置７を遠隔的に操作するための操作用信号（制御用信号）を生成し、赤外線によってその操作用信号を出力するものである。
操作用信号送出手段３は、チューナー付きアンプ５，ＤＶＤ記録・再生装置６，プロジェクタ装置７と双方向通信ネットワークによって接続され、リモート・コントローラ２から操作用信号を受け取ると、その操作用信号を、該当する操作対象機器のチューナー付きアンプ５，ＤＶＤ記録・再生装置６，プロジェクタ装置７の操作部（図示省略）に送出するものである。
【００１６】
尚、双方向通信ネットワークは、具体的に、ＬＡＮが挙げられる。
操作用信号送出手段３は、リモート・コントローラ２からの赤外線信号を受け取る受光部８と、受光部８からの信号を復調する復調器９と、復調器９からの信号をネットワーク用に加工するコントローラ１０と、コントローラ１０からの信号を外部に送るための接続端１１が備えられている。
ＨＵＢ４は、操作用信号送出手段３と操作対象機器のチューナー付きアンプ５，ＤＶＤ記録・再生装置６，プロジェクタ装置７を接続するために介在させ、この双方向通信ネットワークの一部を構成している。
【００１７】
チューナー付きアンプ５，ＤＶＤ記録・再生装置６，プロジェクタ装置７はそれぞれ、リモート・コントローラ２から遠隔的に操作を受けるものであって、前記双方向通信ネットワークによって操作用信号送出手段３と接続されている。
チューナー付きアンプ５，ＤＶＤ記録・再生装置６，プロジェクタ装置７はそれぞれ、コントロール・システムを構築することに対して、操作用信号送出手段３の側からの操作用信号を受け取るための接続端１２，１５，１８と、コントローラ１３，１６，１９と、操作部１４，１７，２０が備えられている。
【００１８】
接続端１２，１５，１８はそれぞれ、ＨＵＢ４から操作用信号を受け取るものである。
コントローラ１３，１６，１９はそれぞれ、接続端１２，１５，１８を介して受け取った操作用信号を操作部１４，１７，２０において実際に操作を行わせる内容に整えて、操作部１４，１７，２０に送るものである。
操作部１４，１７，２０はそれぞれ、チューナー付きアンプ５，ＤＶＤ記録・再生装置６，プロジェクタ装置７においてその出力を操作（制御）するものである。
具体的には、チューナー付きアンプ５では、コントローラ１３からの操作用信号（制御信号）を受け取るとそれに基づき、操作部１４はメインスイッチにＯＮ／ＯＦＦの操作信号、ボリュームに出力設定の操作信号、チューナー部に選局の操作信号等を送る。
ここで、チューナー付きアンプ５の各出力部（図示省略）は、操作部１４から操作信号（制御信号）に対応して、例えばチューナー部はその機能の選局受信を行う。
【００１９】
ＤＶＤ記録・再生装置６では、コントローラ１６からの操作用信号を受け取るとそれに基づき、操作部１７はメインスイッチにＯＮ／ＯＦＦの操作信号、セレクタに記録か再生かの選択操作信号、記録・再生開始の位置設定の操作信号等を送る。
ここで、ＤＶＤ記録・再生装置６の各出力部（図示省略）は、操作部１７からの操作信号に対応して、例えば記録用媒体への録音・録画、再生用媒体からの音声・映像の再生といった出力を行う。
プロジェクタ装置７では、コントローラ１９からの操作用信号を受け取るとそれに基づき、メインスイッチにＯＮ／ＯＦＦの操作信号、映像の色相の調節用操作信号、ズーム手段に映像の拡大・縮小の操作信号等を送る。
ここで、プロジェクタ装置７の各出力部（図示省略）は、操作部２０からの操作信号に対応して、例えばスクリーン上に所望の映像を映し出す。
又、チューナー付きアンプ５，ＤＶＤ記録・再生装置６，プロジェクタ装置７のそれぞれの操作部１４，１７，２０は、各機器に備えられてその機器の出力を操作するための実物の操作パネル（図示省略）に接続されている。
【００２０】
リモート・コントロール・システム１は、更に、リモート・コントローラ２から送出された操作用信号が、操作用信号送出手段３及び前記ネットワークを介して操作対象機器であるチューナー付きアンプ５，ＤＶＤ記録・再生装置６，プロジェクタ装置７のそれぞれの操作部１４，１７，２０に到った際には、その旨を前記ネットワークを介して表示させる表示手段が備えられている。
前記表示手段は、操作用信号送出手段３に組み込まれており、コントローラ１０と、オン・スクリーン・ディスプレイ（ＯＳＤ）２１と、表示部２２を備えて構成されている。
【００２１】
コントローラ１０は、ＣＰＵとメモリ（共に、図示省略）が備えられている。そのメモリには、操作対象機器であるチューナー付きアンプ５，ＤＶＤ記録・再生装置６，プロジェクタ装置７のそれぞれの模擬表示の操作パネル２５，２６，２７の表示データが記憶されている。
そして、リモート・コントローラ２からの操作用信号がコントローラ１０に届くと、コントローラは前記メモリから表示データを呼び出して、表示部２２に模擬表示の操作パネル２５，２６，２７を表示する構成になっている。
【００２２】
更に、リモート・コントローラ２がアンプ５，ＤＶＤ記録・再生装置６，プロジェクタ装置７のいずれかを指定する操作用信号を送出し、その操作用信号が操作用信号送出手段３に受信されると、コントローラ１０は表示部２２上で指定された対応する模擬表示の操作パネル２５，２６，２７のいずれかを拡大し、且つ、他を縮小して表示機能するように構成されいる。
他方、操作用信号送出手段３は、テレビ受像機２３に組み込まれており、表示部２２はテレビ受像機２３の映像表示部と共用する構成になっている。
【００２３】
テレビ受像機２３は、レシーバ部２４と音声を出力するための手段が備えられている。
つまり、ユーザーは、テレビ受像機２３を対象にして、リモート・コントロール・システム１を機能させてリモート・コントローラ２を操作する構成になっている。
リモート・コントロール・システム１は、上述したように構成されている。以下において、リモート・コントロール・システム１の機能を説明する。
【００２４】
ユーザーは最初に、リモート・コントロール・システム１に係る電源がＯＮであることを確認する。
ここで、ユーザーは、チューナー付きアンプ５が受信する番組をＤＶＤ記録・再生装置６で記録したいと考え、リモート・コントローラ２を操作して、操作用信号を操作用信号送出手段３に向けて出力する。
【００２５】
処が、この時、そよ風が吹いて来てカーテンがリモート・コントローラ２からの赤外線の操作用信号を遮って、リモート・コントローラ２からの操作用信号が操作用信号送出手段３に届かなかった。
従って、リモート・コントローラ２からの操作用信号が操作用信号送出手段３に届かないので、コントローラ１０は機能することがなく、結果的に、表示部２２にチューナー付きアンプ５，ＤＶＤ記録・再生装置６，プロジェクタ装置７のそれぞれの模擬表示の操作パネル２５，２６，２７が表示されるということはない。
【００２６】
ここで、ユーザーは、表示部２２にチューナー付きアンプ５，ＤＶＤ記録・再生装置６，プロジェクタ装置７の模擬表示の操作パネル２５，２６，２７が表示されていないことから、リモート・コントローラ２を操作しても操作用信号が操作用信号送出手段３に届かなかったことを了解する。
ユーザーは、再びリモート・コントローラ２を操作して、操作用信号を操作用信号送出手段３に送る。この時の操作用信号は、途中に障害物がなければ操作用信号送出手段３に到達し、コントローラ１０が表示部２２にチューナー付きアンプ５，ＤＶＤ記録・再生装置６，プロジェクタ装置７のそれぞれの模擬表示の操作パネル２５，２６，２７をほぼ同じ大きさで表示させる（図２を参照）。
【００２７】
従って、リモート・コントロール・システム１では、ユーザーが、リモート・コントローラ２からの操作用信号が操作用信号送出手段３に届いたか否かを表示部２２の映像内容によって視覚的に知ることができるので、チューナー付きアンプ５，ＤＶＤ記録・再生装置６，プロジェクタ装置７へのリモートの操作を確実に行うことが可能である。
殊に、操作の内容がＯＮ／ＯＦＦの場合等では、同じ操作用信号が互い違いにＯＮ／ＯＦＦに切り替わる構成が多く、斯かる場合では確実な操作を行うことに対してより一層効果的である。
【００２８】
続いて、ユーザーはリモート・コントローラ２を操作して、表示部２２上で表示されているチューナー付きアンプ５の模擬表示の操作パネル２５にカーソル２８を移動させ、更に、この時に表示されているチューナー付きアンプ５の模擬表示の操作パネル２５を特定するためのクリックを行う。
ここで、表示部２２は、チューナー付きアンプ５の模擬表示の操作パネル２５を大きく、且つ、ＤＶＤ記録・再生装置６及びプロジェクタ装置７の模擬表示の操作パネル２６，２７を共に小さく表示する（図３を参照）。
【００２９】
ユーザーはその大きく表示された操作パネル２５に対して、操作対象（制御対象）となるスイッチ類に対応する表示部位にカーソル２８を移動させて操作を行う。
具体的には、図３に示すように、まず最初にリモート・コントローラ２を操作して、大きく模擬表示されている操作パネル２５において、カーソル２８をそのメインスイッチ（図示省略）を示す部位に移動させ、次に、リモート・コントローラ２においてクリックすることでメインスイッチをＯＮにする。
斯かる操作によって、チューナー付きアンプ５のメイン電源をＯＮにする操作を行うことになる。
【００３０】
この時、リモート・コントローラ２からのメイン電源がＯＮとなる操作用信号は操作用信号送出手段３に送られ、更に、ＨＵＢ４を介してチューナー付きアンプ５に送られる。
チューナー付きアンプ５では、前記のメイン電源がＯＮとなる操作用信号を接続端１２が受け取ると、コントローラ１３に送る。
ここで、コントローラ１３は、前記操作用信号を操作部１４が出力可能な内容に変換した後、操作部１４に送る。
【００３１】
操作部１４は、コントローラ１３からの斯かる内容の制御信号を受け取ると、チューナー付きアンプ５のメイン電源のスイッチをＯＦＦからＯＮに切り替え、且つ、この切り替えた旨の情報をコントローラ１３に送る。
この情報は、コントローラ１３及び接続端１２を介し、更に、ＨＵＢ４を介して、操作用信号送出手段３に送られる。
【００３２】
操作用信号送出手段３のコントローラ１０は、チューナー付きアンプ５のメイン電源がＯＮに切り替ったという情報を操作部１４から受け取ると、この情報に基づいて、表示部２２に表示されているチューナー付きアンプ５の模擬表示の操作パネル２５のメインスイッチ表示部分を白色から赤色に変更させて、リモート・コントローラ２からの操作用信号の送出によって結果的にチューナー付きアンプ５の操作部１４がメイン電源をＯＮ状態にさせた旨を表示する。
ここで、ユーザーは、表示部２２上のチューナー付きアンプ５の模擬表示の表示パネル２５の上記表示色の変更から、チューナー付きアンプ５の操作部１４がメイン電源をＯＮ状態にしたことを知ることができる。
【００３３】
ユーザーは、チューナー付きアンプ５のメイン電源がＯＮ状態になったことを知ると、続いて、メイン電源のリモート操作と同様に、リモート・コントローラ２を操作してカーソル２８を表示部２２上の操作パネル２５のセレクタに移動させ、チューナー付きアンプ５に対してセレクタでアンプ機能ではなくチューナー機能を選択する。
ユーザーは、チューナー付きアンプ５においてセレクタでチューナー機能が選択されたことを表示部２２の表示で確認すると、続いて、メイン電源の操作と同様にして、リモート・コントローラ２を操作して、表示部２２上のカーソル２８を操作パネル２５の選局表示部（図示省略）に移動させ、チューナー部において選局を行う。
【００３４】
ユーザーは、更に、同様にしてリモート・コントローラ２を操作して、カーソル２８を表示部２２上の操作パネル２５のタイマー表示部に移動させることにより、チューナー付きアンプ５のタイマー手段（図示省略）に対して、前記チューナーに受信の開始時刻と停止時刻をセットする。
ここで、チューナー付きアンプ５の機能の設定が完了となる。ユーザーは、続いて、ＤＶＤ記録・再生装置６に操作を行うために、リモート・コントローラ２を操作して、カーソル２８を表示部２２上のＤＶＤ記録・再生装置６の模擬表示の操作パネル２６に移動し、クリックする。
【００３５】
この時のユーザーのクリックによって、図３で示すと同様に、表示部２２は、ＤＶＤ記録・再生装置６の模擬表示の操作パネル２６を大きく、且つ、チューナー付きアンプ５の模擬表示の操作パネル２５及びプロジェクタ装置７の模擬表示の操作パネル２７を共に小さく表示する。
ユーザーは、リモート・コントローラ２を操作し、表示部２２上で大きく表示されたＤＶＤ記録・再生装置６の模擬表示の操作パネル２６に対するカーソル２８の位置や操作パネル２６の表示の変更を見てリモート操作を確認しながら、ＤＶＤ記録・再生装置６がチューナー付きアンプ５の受信した信号データを記録するように、ＤＶＤ記録・再生装置６の機能設定を行う。
【００３６】
リモート・コントロール・システム１は、上述したように機能するから、リモート・コントローラ２からの操作用信号が操作対象機器であるチューナー付きアンプ５，ＤＶＤ記録・再生装置６，プロジェクタ装置７に届いたか否かを確認することができ、リモートの制御を確実に行うことが可能になっている。
加えて、リモート・コントロール・システム１は、操作対象機器のチューナー付きアンプ５，ＤＶＤ記録・再生装置６，プロジェクタ装置７に係る模擬表示の操作パネル２５，２６，２７が表示部２２上で表示可能であり、その表示たれた操作パネル２５，２６，２７の各操作部に対してカーソル２８を移動させて操作を行う構成であることから、高度で複雑な操作を確実に行うことが可能になっている。
【００３７】
リモート・コントロール・システム１は、操作対象機器がチューナー付きアンプ５，ＤＶＤ記録・再生装置６，プロジェクタ装置７であるが、任意の機器であってよい。
又、操作の内容は、ユーザーの所望に対応して適宜設定することが望ましい。
【００３８】
リモート・コントロール・システム１は、表示部２２をテレビ受像機２３の映像用の表示部と共用しているが、単独の構成であってもよい。
又、表示部２２はリモート・コントローラ２に備える構成であってもよい。この場合、リモート・コントローラ２の表示部と共用する構成であってもよい。
【００３９】
表示部２２に表示される模擬表示の操作パネル２５，２６，２７の大きさは、表示部２２の大きさ、各表示パネルの操作部の数と形状等によって適宜設定するのが望ましい。
又、表示部２２に表示される模擬表示の操作パネル２５，２６，２７の形状は、操作対象機器の操作対象機器がチューナー付きアンプ５，ＤＶＤ記録・再生装置６，プロジェクタ装置７に備えられた実物の操作パネルと同じ必要はなく、表示部２２に表示した際にユーザーが見誤りがなく、実物の操作パネルを容易に連想させる形状にデフォルメしても構わない。
【００４０】
リモート・コントロール・システム１では、模擬表示の操作パネル２５，２６，２７の表示データはコントローラ１０の上記メモリに記憶されているが、それぞれが対応するチューナー付きアンプ５のコントローラ１３，ＤＶＤ記録・再生装置６のコントローラ１６，プロジェクタ装置７のコントローラ１９にそれぞれメモリが備えられ、各メモリに操作パネル２５，２６，２７の表示データが記憶されている構成であってもよい。
斯かる構成のリモート・コントロール・システム１では、リモート・コントローラ２からの操作用信号が操作用信号送出手段３を介してチューナー付きアンプ５，ＤＶＤ記録・再生装置６，プロジェクタ装置７に到達すると、各コントローラ１３，コントローラ１６，コントローラ１９からＨＵＢ４を介して操作パネル２５，２６，２７の表示データが操作用信号送出手段３に送出するように機能し、更に、操作用信号送出手段３が操作パネル２５，２６，２７の表示データを受け取ると表示部２２に模擬表示の操作パネル２５，２６，２７を表示するように機能する。
【図面の簡単な説明】
【００４１】
【図１】この発明の実施の最良の形態の構成を説明するブロック図である。
【図２】図１に示す形態で、操作用信号を送信した際の表示部における模擬表示の操作パネルが表示されていることを示す正面図である。
【図３】図１に示す形態で、操作対象の機器を特定して操作用信号を送信した際の表示部における模擬表示の操作パネルが表示されていることを示す正面図である。
【符号の説明】
【００４２】
１                  ：リモート・コントロール・システム
２                  ：リモート・コントローラ
３                  ：操作用信号送出手段
４                  ：ＨＵＢ
５                  ：チューナー付きアンプ（操作対象の機器）
６                  ：ＤＶＤ記録・再生装置（操作対象の機器）
７                  ：プロジェクタ装置（操作対象の機器）
１０                ：コントローラ
１４．１７，２０    ：操作部
２２                ：表示部（表示手段）
２３                ：テレビ受像機
２５，２６，２７    ：模擬表示の操作パネル
２８                ：カーソル
【図１】
2007306402.tif 000003
【図２】
2007306402.tif 000004
【図３】
2007306402.tif 000005